(57)【要約】      （修正有）【課題】歩行中に脱げ難く、着脱の容易なペット服を提供する。【解決手段】タンクトップ型の小犬用のペット服１であり、繊維製の服生地により形成されている。ペット服１は背中側に後方に延設された延設部３を有している。首繰り４の周端縁には紐通し部に挿通された輪状のゴム紐６が取り付けられており、周長が伸縮自在に形成されている。これにより、小犬の頭部に対する首繰り４の着脱が容易に行える。ペット服１の左右の前側のアームホール８の周端縁には紐通し部に挿通された輪状のゴム紐１２が取り付けられており、各々周長が伸縮自在に形成されている。これにより、小犬の前脚に対するアームホール８の着脱が容易に行える。また、歩いている間にアームホール８から前脚が抜けようとしてアームホール８が拡がろうとしてもゴム紐１２の弾性で拡がりを抑えるので、脱げ難くなる。【選択図】図３
0003191516.tif 000002
【実用新案登録請求の範囲】
【請求項１】
首繰り、アームホールを有するタンクトップ型のペット服において、
首繰りの周端縁とアームホールの周端縁に各々、ゴム紐を取り付けて伸縮性を持たせたこと、
を特徴とするペット服。
【請求項２】
ペット服の胴周りの全部または一部に沿ってゴム紐を取り付けて伸縮性を持たせたこと、
を特徴とする請求項１記載のペット服。
【請求項３】
背中側に後方に延設された延設部を有し、
延設部の基部近くの胴周りに沿ってゴム紐を取り付けて伸縮性を持たせたこと、
を特徴とする請求項１記載のペット服。
【請求項４】
前裾の胴周りの端縁にゴム紐を取り付けて伸縮性を持たせたこと、
を特徴とする請求項１または３記載のペット服。
【請求項５】
ゴム紐の長さを調節可能としたこと、
を特徴とする請求項１乃至４の内のいずれか一項記載のペット服。
【考案の詳細な説明】
【技術分野】
【０００１】
本考案はペット服に係り、とくに子犬等に着せるペット服に関する。
【背景技術】
【０００２】
小犬を散歩させる際、おしゃれ、防寒、日射対策などを目的として小犬に服を着せている。この場合、服の大きさが小さいときは、締め付け感から子犬が服を着るのを嫌がることがあり、またポメラニアンの如く毛の多い種類では、毛のボリュームに対し服のサイズが小さいと、毛を押さえ過ぎて折角のボリューム感が削がれてしまう。このためサイズに余裕の有る服を着せる人が多いが、歩いてる間に前脚から服が脱げてしまうことがある。
【先行技術文献】
【特許文献】
【０００３】
【特許文献１】実用新案登録第３０６００７４号
【考案の概要】
【考案が解決しようとする課題】
【０００４】
本考案は上記した従来技術の問題に鑑みなされたもので、歩行中に脱げ難く、着脱の容易なペット服を提供することを、その目的とする。
【課題を解決するための手段】
【０００５】
本考案の請求項１記載のペット服では、首繰り、アームホールを有するタンクトップ型のペット服において、首繰りの周端縁とアームホールの周端縁に各々、ゴム紐を取り付けて伸縮性を持たせたこと、を特徴としている。
本考案の請求項２記載のペット服では、胴周りの全部または一部に沿ってゴム紐を取り付けて伸縮性を持たせたこと、を特徴としている。
本考案の請求項３記載のペット服では、背中側に後方に延設された延設部を有し、延設部の基部近くの胴周りに沿ってゴム紐を取り付けて伸縮性を持たせたこと、を特徴としている。
本考案の請求項４記載のペット服では、前裾の胴周りの端縁にゴム紐を取り付けて伸縮性を持たせたこと、を特徴としている。
本考案の請求項５記載のペット服では、ゴム紐の長さを調節可能としたこと、を特徴としている。
【考案の効果】
【０００６】
本考案によれば、アームホールにゴム紐を取り付けて伸縮性を持たせたことにより、歩行中に脱げ難くなる。また、ペットに比して全体的なサイズに余裕をもたせることで、毛の多いペットでは毛を押さえ過ぎないようにできる。
また、首繰り、胴回りにゴム紐を取り付けて伸縮性を持たせたことにより、ペットに対する着脱を容易に行うことができる。
【図面の簡単な説明】
【０００７】
【図１】本考案の一実施例に係る小犬用のペット服を示す外観斜視図である（実施例１）。
【図２】図１のペット服の底面図である。
【図３】図１のペット服の使用状態を示す側面図である。
【図４】図１のペット服を子犬から脱がす様子を示す説明図である。
【考案を実施するための最良の形態】
【０００８】
以下、本考案の最良の形態を実施例に基づき説明する。
【実施例１】
【０００９】
図１、図２を参照して本考案の一実施例を説明する。図１は本考案に係る子犬用のペット服の外観斜視図、図２は底面図である。
これらの図において、１はタンクトップ型の小犬用のペット服であり、繊維製の服生地２により形成されている。ペット服１は背中側に後方に延設された延設部３を有している。首繰り４の周端縁には紐通し部５に挿通された輪状のゴム紐６が取り付けられており、周長が伸縮自在に形成されている。これにより、小犬の頭部に対する首繰り４の着脱が容易に行える。ペット服１の左右の前側のアームホール７、８の周端縁には紐通し部９、１０に挿通された輪状のゴム紐１１、１２が取り付けられており、各々周長が伸縮自在に形成されている。これにより、小犬の前脚に対するアームホール７、８の着脱が容易に行える。また、歩いている間にアームホール７、８から前脚が抜けようとしてアームホール７、８が拡がろうとしてもゴム紐１１、１２の弾性で拡がりを抑えるので、脱げ難くなる。
【００１０】
前裾（下裾）１３の胴周りの端縁に沿って紐通し部１４に挿通されたゴム紐１５が取り付けられており、胴周りの腹側（図１のＡの範囲参照）が伸縮自在に形成されている。また、延設部３の基部１６の近く（図１の前後方向に見た時の前裾１３の近く）の胴周りに沿って紐通し部１７に挿通されたゴム紐１８が取り付けられており、胴周りの背側（図１のＢの範囲参照）が伸縮自在に形成されている。これにより、小犬にペット服１を着せる際、ペット服１の胴周りを拡げることで簡単に頭部側から胴部へ被せることができ、反対に小犬からペット服１を脱がす際、延設部３を引っ張り上げ、ペット服１の胴周りを拡げることで簡単に小犬の胴部から頭部側へ脱がせることができる。
【００１１】
首繰り４、アームホール７、８の紐通し部５、９、１０に挿通されたゴム紐６、１１、１２は一本の有端のゴム紐の両端を結んで輪状とされており、紐通し部５、９、１０に設けたゴム紐取り出し口２０、２１、２２から結び目を取り出し、長さを変えて結び直すことにより、ゴム紐６、１１、１２の長さ調節が可能となっている。
前裾１３の紐通し部１４に挿通されたゴム紐１５は、２本の有端のゴム紐の各一方の端を結んで一本とするとともに、各他方の端を紐通し部１４の両端に縫着してあり、紐通し部１４に設けたゴム紐取り出し口２３から結び目を取り出し、長さを変えて結び直すことにより、ゴム紐１５の長さ調節が可能となっている。
【００１２】
図３はペット服１を毛の多い小犬に着せた状態を示す側面図、図４はペット服１の脱がし方の説明図であり、以下、これらの図を参照して上記したペット服１の使用方法を説明する。
図３の３０は毛の多い小犬であり、ペット服１は小犬３０に比して全体的にユッタリとしたサイズとなっており、着せたときに毛を押さえ過ぎず、ボリューム感を削がないようになっている。ペット服１の首繰り４、アームホール７、８、胴周り（図１のＡ、Ｂの範囲参照）は各々、ほぼ小犬３０の首周り、前脚の付け根の周り、胴周りのサイズと同じか少しだけ大きいサイズである。
小犬３０にペット服１を着せる場合、腹側と背側のゴム紐１５、１８を伸ばして胴周りを拡げながら、延設部３の側から小犬３０の頭部３１、胴部３２に被せていき、ゴム紐６を伸ばし首繰り４を拡げて頭部３１を外に出し、ゴム紐１１、１２を伸ばしアームホール７、８を拡げて左右の前脚３３、３４を外に出すことにより、簡単に着せることができる。
【００１３】
散歩中に前脚３３、３４がアームホール７、８から抜けようとしてアームホール７、８が拡がろうとしてもゴム紐１１、１２の弾性で拡がりを抑えるので、脱げ難くい。また、ペット服１が小犬３０に比して全体的にユッタリとしたサイズなので、小犬３０が着るのを嫌がったり毛のボリューム感が削がれたりすることはない。
【００１４】
小犬３０からペット服１を脱がせる場合、図４に示す如く延設部３の裾を持ち上げて腹側と背側のゴム紐１５、１８を伸ばして胴周りを拡げながら、延設部２を前方に引っ張れば、ゴム紐１１、１２が伸びてアームホール７、８が拡がり左右の前脚３３、３４が抜け、更に、ゴム紐６が伸びて首繰り４が拡がり頭部３１が抜け出るので、簡単に脱がすことができる。
【００１５】
この実施例によれば、アームホール７、８にゴム紐１１、１２を取り付けて伸縮性を持たせたことにより、散歩中に前脚３３、３４がアームホール７、８から抜けようとしてアームホール７、８が拡がろうとしてもゴム紐１１、１２の弾性で拡がりを抑えるので、歩行中に脱げ難くなる。
また、小犬３０に比して全体的なサイズに余裕をもたせるようにすることで、小犬３０がペット服１を着るのを嫌がったり毛のボリューム感が削がれたりするのを防ぐことができる。
また、首繰り４や胴回りにゴム紐６、１５、１８を取り付けて伸縮性を持たせたことにより、小犬３０に対するペット服１の着脱を容易に行うことができる。
また、小犬の体型に合わせてゴム紐６、１１、１２、１５の長さを調節することができる。
【００１６】
なお、上記した実施例では胴回りの腹側と背側の両方にゴム紐を設けたが、いずれか一方に設けるようにしても良い。また、延設部を省略するとともに前裾（下裾）と後裾（上裾）を一周するようにゴム紐を取り付けたり、延設部を省略し、前裾（下裾）に胴周りの腹側に沿ってゴム紐を取り付けたり、後裾（上裾）に胴周りの背側に沿ってゴム紐を取り付けても良い。
また、延設部の基部近くの背中側の胴周りのゴム紐も長さ調節可能にしても良い。
【産業上の利用可能性】
【００１７】
本考案は、小犬等のペットを散歩させる際に着せる服に適用可能である。
【符号の説明】
【００１８】
１  ペット服
３  延設部
４  首繰り
５、１１、１２、１５、１８  ゴム紐
７、８  アームホール
１３  前裾
１６  基端
【図１】
0003191516.tif 000003
【図２】
0003191516.tif 000004
【図３】
0003191516.tif 000005
【図４】
0003191516.tif 000006